(57)【特許請求の範囲】
【請求項１】
原稿の主走査方向の長さおよび副走査方向の長さを判別し、該判別結果に基づき原稿サイズを決定する原稿サイズ検知方法において、
前記原稿の主走査方向の長さの判別に際して該原稿の主走査方向の長さを特定できなかった場合は、前記原稿サイズを前記原稿の副走査方向の長さの判別結果に基づき決定する
ことを特徴とする原稿サイズ検知方法。
【請求項２】
原稿の主走査方向の長さを検知する第１の検知手段と、前記原稿の副走査方向の長さを検知する第２の検知手段とを具備し、前記第１の検知手段の検知結果および前記第２の検知手段の検知結果に基づき該原稿の複写に用いる定型用紙サイズを選択するための原稿サイズを決定する原稿サイズ検知方法において、
前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記第１の検知手段の検知結果を無視して前記原稿サイズを決定する
ことを特徴とする原稿サイズ検知方法。
【請求項３】
前記第１の検知手段は、前記原稿の主走査方向の読取に際して検出した原稿のエッジに基づき前記原稿の主走査方向の長さを検知し、
前記第２の検知手段は、前記原稿の副走査方向に配列された複数の原稿検知センサの検知出力に基づき原稿の副走査方向の長さを検知し、
前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記第１の検知手段の検知結果を無視して前記原稿サイズを予め設定した所定の原稿サイズに決定する
ことを特徴とする請求項２記載の原稿サイズ検知方法。
【請求項４】
前記第１の検知手段は、前記原稿の主走査方向の読取に際して検出した原稿のエッジに基づき前記原稿の主走査方向の長さを検知し、
前記第２の検知手段は、前記原稿の副走査方向に配列された複数の原稿検知センサの検知出力に基づき原稿の副走査方向の長さを検知し、
前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記原稿サイズを前記第２の検知手段の検知結果に基づき決定する
ことを特徴とする請求項２記載の原稿サイズ検知方法。
【請求項５】
原稿の複写指示に際して前記原稿の複写に用いる定型用紙サイズを選択するための原稿サイズを決定する原稿サイズ検知装置において、
前記原稿の主走査方向の長さを検知する第１の検知手段と、
前記原稿の副走査方向の長さを検知する第２の検知手段と、
前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記第１の検知手段の検知結果を無視して前記原稿サイズを決定する原稿サイズ決定手段と
を具備することを特徴とする原稿サイズ検知装置。
【請求項６】
前記第１の検知手段は、
前記原稿の主走査方向の読取に際して前記原稿のエッジを検出して前記原稿の主走査方向の長さを検知する原稿読取手段
を有し、
前記第２の検知手段は、
前記原稿の副走査方向に配列され、前記原稿の検知に基づき前記原稿の副走査方向の長さを検知する複数の原稿検知センサ
を有し、
前記原稿サイズ決定手段は、
前記原稿サイズを予め設定する設定手段と、
前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記第１の検知手段の検知結果を無視して前記原稿サイズを前記設定手段により設定された原稿サイズに決定するサイズ決定手段と
を具備することを特徴とする請求項５記載の原稿サイズ検知装置。
【請求項７】
前記第１の検知手段は、
前記原稿の主走査方向の読取に際して前記原稿のエッジを検出して前記原稿の主走査方向の長さを検知する原稿読取手段
を有し、
前記第２の検知手段は、
前記原稿の副走査方向に配列され、前記原稿の検知に基づき前記原稿の副走査方向の長さを検知する複数の原稿検知センサ
を有し、
前記原稿サイズ決定手段は、
前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記原稿サイズを前記第２の検知手段の検知結果に基づき決定するサイズ決定手段
を具備することを特徴とする請求項５記載の原稿サイズ検知装置。
【発明の詳細な説明】
【０００１】
【発明の属する技術分野】
この発明は、原稿検知方法及び装置に関し、特に折りやカール（丸まり）のある原稿や載置ずれして載置されている原稿、非定型のサイズの原稿の原稿サイズを決定する原稿検知方法及び装置に関する。
【０００２】
【従来の技術】
複写機等で原稿サイズを検知する方法として、特開平１−１８８８１６号公報に記載されているように、原稿を抑えるプラテンカバーの開閉に対応して、原稿のエッジ（縁部分）を検出して、そのエッジに基づいて原稿サイズを特定したり、特開平３−５４９６６号公報に記載されているように、プラテンカバーに濃度の高い色のものを使用し、原稿のエッジをより一層精度よく検知できるようにして、更に原稿サイズを精度良く特定する方法が提案されている。
【０００３】
【発明が解決しようとする課題】
ところが、折りやカール（丸まり）のある原稿を検知しようした際に、上述の方法では、原稿のエッジを検知することができない為、実際の原稿サイズと異なる原稿サイズを特定してしまったり、検知エラーとなり原稿サイズを全く特定することができなかった。
又、原稿を載置する場所が決められており、折りやカールのない原稿であっても、原稿を載置する所定の位置からはずれて原稿を載置したり、又Ａ４やＢ５といったような定型サイズ以外の非定型のサイズの原稿であると、原稿が検知センサの位置から逸脱する為、同様に原稿サイズを正しく特定することができなかった。
その結果、ユーザ自らが原稿を載置し直してから、再度原稿サイズを検知させたり、又原稿サイズを選択しなければならず、ユーザにとって操作に手間がかかったり、操作を理解していないものにとっては、非常に扱いが困難であった。
そこで、折りやカールのある原稿や載置ずれしている原稿、非定型サイズの原稿の原稿サイズを決定する原稿検知方法及び装置を提供することを目的とする。
【０００５】
【課題を解決するための手段】
上記目的を達成するため、請求項１の発明は、原稿の主走査方向の長さおよび副走査方向の長さを判別し、該判別結果に基づき原稿サイズを決定する原稿サイズ検知方法において、前記原稿の主走査方向の長さの判別に際して該原稿の主走査方向の長さを特定できなかった場合は、前記原稿サイズを前記原稿の副走査方向の長さの判別結果に基づき決定することを特徴とする。
【０００６】
また、請求項２の発明は、原稿の主走査方向の長さを検知する第１の検知手段と、前記原稿の副走査方向の長さを検知する第２の検知手段とを具備し、前記第１の検知手段の検知結果および前記第２の検知手段の検知結果に基づき該原稿の複写に用いる定型用紙サイズを選択するための原稿サイズを決定する原稿サイズ検知方法において、前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記第１の検知手段の検知結果を無視して前記原稿サイズを決定することを特徴とする。
【０００７】
また、請求項３の発明は、請求項２の発明において、前記第１の検知手段は、前記原稿の主走査方向の読取に際して検出した原稿のエッジに基づき前記原稿の主走査方向の長さを検知し、前記第２の検知手段は、前記原稿の副走査方向に配列された複数の原稿検知センサの検知出力に基づき原稿の副走査方向の長さを検知し、前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記第１の検知手段の検知結果を無視して前記原稿サイズを予め設定した所定の原稿サイズに決定することを特徴とする。
【０００８】
また、請求項４の発明は、請求項２の発明において、前記第１の検知手段は、前記原稿の主走査方向の読取に際して検出した原稿のエッジに基づき前記原稿の主走査方向の長さを検知し、前記第２の検知手段は、前記原稿の副走査方向に配列された複数の原稿検知センサの検知出力に基づき原稿の副走査方向の長さを検知し、前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記原稿サイズを前記第２の検知手段の検知結果に基づき決定することを特徴とする。
【０００９】
また、請求項５の発明は、原稿の複写指示に際して前記原稿の複写に用いる定型用紙サイズを選択するための原稿サイズを決定する原稿サイズ検知装置において、前記原稿の主走査方向の長さを検知する第１の検知手段と、前記原稿の副走査方向の長さを検知する第２の検知手段と、前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記第１の検知手段の検知結果を無視して前記原稿サイズを決定する原稿サイズ決定手段とを具備することを特徴とする。
【００１０】
また、請求項６の発明は、請求項５の発明において、前記第１の検知手段は、前記原稿の主走査方向の読取に際して前記原稿のエッジを検出して前記原稿の主走査方向の長さを検知する原稿読取手段を有し、前記第２の検知手段は、前記原稿の副走査方向に配列され、前記原稿の検知に基づき前記原稿の副走査方向の長さを検知する複数の原稿検知センサを有し、前記原稿サイズ決定手段は、前記原稿サイズを予め設定する設定手段と、前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記第１の検知手段の検知結果を無視して前記原稿サイズを前記設定手段により設定された原稿サイズに決定するサイズ決定手段とを具備することを特徴とする。
【００１１】
また、請求項７の発明は、請求項５の発明において、前記第１の検知手段は、前記原稿の主走査方向の読取に際して前記原稿のエッジを検出して前記原稿の主走査方向の長さを検知する原稿読取手段を有し、前記第２の検知手段は、前記原稿の副走査方向に配列され、前記原稿の検知に基づき前記原稿の副走査方向の長さを検知する複数の原稿検知センサを有し、前記原稿サイズ決定手段は、前記第１の検知手段により前記原稿の主走査方向の長さが検知できない場合若しくは前記第１の検知手段により検知した前記原稿の主走査方向の長さが予め設定した所定の定型サイズの主走査方向の長さに一致しない場合は、前記原稿サイズを前記第２の検知手段の検知結果に基づき決定するサイズ決定手段を具備することを特徴とする。
【００１６】
【発明の実施の形態】
本発明の原稿検知方法及び装置の一実施例を、添付図面を参照して詳細に説明する。まず、図１及び図２を参照して、本発明を適用した複写機１００の構成について説明する。
【００１７】
図１において、複写機１００は原稿載置部１０１、表示部１０２、操作部１０３、主走査方向検知センサ１１０、副走査方向検知センサ１１１、原稿レジ１２１、レジガイド１２２から構成される。
【００１８】
原稿載置部１０１は、例えばプラテンガラスであり、原稿が載置される箇所である。
主走査方向検知センサ１１０は、例えばＣＣＤ（ｃｈａｒｇｅ−ｃｏｕｐｌｅｄ  ｄｅｖｉｃｅ）であり、原稿のイメージデータの画素数に基づいて、主走査方向の原稿サイズを決定する為に、原稿を抑えるプラテンカバーで原稿が抑えられる直前、或いはプラテンカバーが空いたままの状態である場合には、複写を開始する操作が行われて原稿全体を走査してイメージデータを読み取る直前に、所定の位置で原稿載置部１０１に載置される原稿のイメージデータを１ラインだけ読み取るものである。
表示部１０２は、例えば液晶表示装置であり、原稿サイズやコピー枚数等を表示するものである。
操作部１０３は、例えばキーボードであり、ユーザが原稿サイズやコピー枚数等を手動で入力するものである。
副走査方向検知センサ１１１は、例えば特定反射型センサであり、原稿載置部１０１に載置される原稿の有無を検知するものである。
図中に示さない原稿サイズ決定部は、主走査方向検知センサ１１０により読み取られる原稿のイメージデータから原稿のエッジ位置を検知して、原稿のエッジ間の画素数から原稿載置部１０１に載置される原稿の主走査方向の長さを判定し、この原稿の主走査方向の長さと副走査方向検知センサ１１１により検知された原稿載置部１０１に載置される原稿の有無に基づいて、原稿サイズを決定するものである。
原稿レジ１２１は、原稿載置部１０１に載置される原稿により原稿サイズがそれぞれ異なる為、原稿の端を揃える箇所を示すものである。
レジガイド１２２は、原稿載置部１０１に載置される原稿により原稿サイズがそれぞれ異なる為、主走査方向と副走査方向から原稿の載置範囲を示すものである。
【００１９】
図２に示すように、図中の点線で示すように原稿サイズや原稿の縦横方向により原稿サイズが異なる為、例えば「Ａ３」、「Ａ４」のＡ系列、「Ｂ４」、「Ｂ５」のＢ系列の原稿の載置範囲が原稿の縦横方向別に示されている。例えば、原稿載置部１０１にＡ４縦サイズの原稿を載置する場合には、原稿レジ１２１に原稿の一角を合わせ、レジガイド１２２の「Ａ４Ｒ」と示される原稿載置範囲に原稿を載置する。原稿載置部１０１に載置されるＡ４縦サイズを超える原稿の有無を検知する為に、Ａ４縦サイズの原稿の主走査方向のエッジの外側に相当する原稿載置部１０１の直下部分に副走査方向検知センサ１１１が配設される。
【００２０】
では、図３及び図４を参照して、副走査方向検知センサ１１１による検知結果に基づく第１の原稿サイズの決定方法を説明する。
【００２１】
図中の点線はＡ４縦サイズとＡ３横サイズの原稿載置範囲を示しており、Ａ４縦サイズの原稿の有無を検知する副走査方向検知センサ１１１は、Ａ４縦サイズの原稿の主走査方向のエッジの外側に相当する原稿載置部１０１の直下部分に配設される。
そして、図３（ａ）に示すように、原稿載置部１０１に非定型サイズの原稿２０１が載置されている場合、複写を開始する操作が行われて原稿全体を走査してイメージデータを読み取る直前に、主走査方向検知センサ１１０は所定の位置で原稿２０１のイメージを読み取り、副走査方向検知センサ１１１は原稿２０１の有無を検知し、原稿サイズ決定部は主走査方向検知センサ１１０により読み取られたイメージの画素数から原稿の主走査方向の長さを判定し、主走査方向の長さと副走査方向検知センサ１１１により検知される原稿の有無に基づいて、原稿２０１のサイズが非定型サイズであることを決定する。この時、副走査方向検知センサ１１１はＡ４縦サイズを超える原稿が原稿載置部１０１に無いことを検知して、原稿サイズ決定部は原稿サイズをＡ４縦サイズと決定し、図３（ｂ）に示すようにＡ４縦サイズの出力用紙で出力する。
【００２２】
又、図４（ａ）に示すように、原稿載置部１０１に非定型サイズの原稿２０２が載置されている場合、同様に原稿サイズ決定部は主走査方向検知センサ１１０と副走査方向検知センサ１１１に基づいて、原稿２０２が非定型サイズの原稿であることを決定する。この時、副走査方向検知センサ１１１はＡ４縦サイズを超える原稿が原稿載置部１０１にあることを検知して、原稿サイズ決定部は原稿サイズをＡ３横サイズと決定し、図４（ｂ）に示すようにＡ３横サイズの出力用紙で出力する。
【００２３】
さて、副走査方向検知センサ１１１が原稿載置部１０１に原稿がないことを検知したならば、原稿サイズをＡ４縦サイズとして決定し、又原稿載置部１０１に原稿があることを検知したならば、原稿サイズをＡ３横サイズとして決定しているが、副走査方向検知センサ１１１の配設位置は任意に変更して、原稿サイズの決定方法を変更が可能である。
【００２４】
では、図５乃至図７を参照して、副走査方向検知センサ１１１による検知結果に基づく第２の原稿サイズの決定方法を説明する。
【００２５】
図中の点線はＢ５縦サイズとＡ３横サイズの原稿載置範囲を示しており、副走査方向検知センサ１１１は原稿載置部１０１に載置されるＢ５縦サイズを超える原稿の有無を検知する為に、副走査方向検知センサ１１１は配設位置が変更されて、Ｂ５縦サイズの原稿の主走査方向のエッジの外側に相当する原稿載置部１０１の直下部分に配設される。
【００２６】
そして、図５（ａ）に示すように、原稿載置部１０１に非定型サイズの原稿２０１が載置されている場合、原稿サイズ決定部は主走査方向検知センサ１１０と副走査方向検知センサ１１１により、原稿２０２が非定型サイズの原稿であることを検知し、副走査方向検知センサ１１１はＢ５縦サイズを超える原稿が原稿載置部１０１に無いことを検知して、原稿サイズ決定部は原稿サイズをＢ５縦サイズと決定し、図５（ｂ）に示すようにＢ５横サイズの出力用紙で出力する。
【００２７】
又、図６（ａ）に示すように、原稿載置部１０１に非定型サイズの原稿２０２が載置されている場合、同様に原稿サイズ決定部は主走査方向検知センサ１１０と副走査方向検知センサ１１１により、原稿２０２が非定型サイズの原稿であることを検知する。この時、副走査方向検知センサ１１１はＢ５縦サイズを超える原稿が原稿載置部１０１にあることを検知して、原稿サイズ決定部は原稿サイズをＡ３横サイズと決定し、図６（ｂ）に示すようにＡ３横サイズの出力用紙で出力する。
【００２８】
このように原稿サイズが非定型サイズであることを検知した際に、副走査方向検知センサ１１１が原稿載置部１０１に原稿が載置されていないことを検知したならばＢ５縦サイズ、又原稿が載置されていることを検知したならばＡ３横サイズとして原稿サイズをそれぞれ検知するが、これに限らず、ユーザの使用用途や使用環境等に合わせて、副走査方向検知センサ１１１の配設位置を任意に変更して良い。
【００２９】
又、原稿サイズ決定部は副走査方向検知センサ１１１が原稿載置部１０１に載置されている原稿があることを検知すると、この原稿サイズをＡ３横サイズとして決定するが、副走査方向検知センサ１１１の配設位置はそのままで、原稿サイズ決定部により決定される用紙サイズを任意に変更することが可能である。
【００３０】
例えば、原稿サイズ決定部は副走査方向検知センサ１１１が原稿載置部１０１に載置されている原稿があることを検知した場合に、原稿サイズをＡ３横サイズと決定していたものをＡ４横サイズに変更すると、図４（ａ）に示したような非定型サイズの原稿２０２が載置されている場合、図４（ｂ）に示したようには出力されずに、原稿サイズ決定部は原稿サイズをＡ４横サイズとして決定して、図７（ａ）に示すようにＡ４横サイズの出力用紙で出力する。
【００３１】
用紙サイズはこれに限ることなく、上述した副走査方向検知センサ１１１の配設位置と同様に、ユーザの使用用途や使用環境等に合わせて任意に変更して良い。
【００３２】
さて、図８及び図９を参照して、固定の原稿サイズに基づく原稿サイズの決定方法を説明する。
【００３３】
図８（ａ）に示すように原稿が原稿レジ１２１に揃えて載置されていない場合や、折りやカールのある原稿２０１が載置されている場合では、原稿サイズ決定部は主走査方向検知センサ１１０により読み取られたイメージデータから原稿のエッジ位置を検知できず、画素数から原稿の主走査方向の長さを判定できない為、上述したように原稿サイズが非定型サイズであると決定された場合と同様に、副走査検出センサ１１１の検知結果により原稿サイズを決定する。副走査検出センサ１１１は原稿載置部１０１に原稿が無いことを検知し、この時Ａ４縦サイズとして出力されるように設定されていると、図９（ａ）に示すようにＡ４縦サイズの出力用紙で出力する。ところが、原稿が副方向検知センサ１１１から逸脱して載置されている為、副方向検知センサ１１１は原稿が有ることを正しく検知できず、複写部分の一部がかけて出力されてしまう。
【００３４】
そこで、予め固定の原稿サイズを設定しておき、原稿サイズ決定部は主走査方向検知センサ１１０により読み取られたイメージデータから原稿のエッジ位置を検知できず、画素数から原稿の主走査方向の長さを判定できなかった場合や上述したような非定型サイズと決定した場合には、原稿サイズを固定の原稿サイズに一意に決定しても良い。例えば、固定の原稿サイズをＡ３横サイズに設定し、原稿サイズを固定の原稿サイズに一意に決定するように設定しておくと、図８（ａ）に示したような原稿２０１が載置されている場合には、原稿サイズ決定部は予め設定された固定の原稿サイズであるＡ３横サイズとして決定して、図９（ｂ）に示すようにＡ３横サイズの出力用紙で出力する。
【００３５】
このように、原稿のエッジ位置を検知できず、原稿の主走査方向の長さを特定することができなかった場合や非定型サイズであると特定された場合に、副走査方向検知センサ１１１による原稿サイズの検知結果に基づいて原稿サイズを決定するか、或いは固定の原稿サイズに決定するかを設定する設定や固定の原稿サイズの設定は、上述の検知方法の設定と同様にユーザの使用用途や使用環境等に合わせて、任意に変更すれば良い。
【００３６】
又、原稿のエッジ位置を検知できず、原稿の主走査方向の長さを特定することができなかった場合と非定型サイズであると特定された場合で併用して原稿サイズを上述の方法で一意に決定したり、或いはいずれか一方を選択して原稿サイズを一意に決定することも合わせて任意に変更が可能である。
【００３７】
ここで、図１０乃至図１２を参照して、上述の原稿サイズの決定方法の流れを説明する。
【００３８】
まず、主走査方向検知センサ１１０は原稿のイメージデータの画素数に基づいて、主走査方向の原稿サイズを特定する為に、原稿を抑えるプラテンカバーで原稿が抑えられる直前、或いはプラテンカバーが開いたままの状態である場合には、複写を開始する操作が行われて原稿全体を走査してイメージデータを読み取る直前に、所定の位置で原稿載置部１０１に載置される原稿のイメージデータを読み取り（ステップ６０１）、副走査方向検知センサ１１１は原稿載置部１０１に載置される原稿の有無を検知し（ステップ６０２）、原稿サイズ決定部は主走査方向検知センサ１１０により読み取られたイメージデータから原稿のエッジ位置を検知するとともに、原稿のエッジ間の画素数から原稿の主走査方向の長さを判定する（ステップ６０３）。
【００３９】
原稿のエッジ位置を検知することができ、原稿載置部１０１に載置されている原稿の主走査方向の長さを判定することができたならぱ（ステップ６０４のＹＥＳ）、主走査方向の長さと副走査方向検知センサ１１１により検知された原稿の有無に基づいて、原稿サイズが定型サイズであると決定して（ステップ６０５のＹＥＳ）、その定型サイズを出力用紙サイズとして決定する（ステップ６０６）。
【００４０】
又、ステップ６０４において、原稿のエッジ位置を検知できずに、主走査方向の長さを判定できなかった場合や（ステップ６０４のＮＯ）、ステップ６０５において、原稿サイズが定型サイズでないと決定した場合に（ステップ６０５のＮＯ）、上述の原稿サイズ決定方法により原稿サイズを決定するように設定されている場合は（ステップ６０７のＹＥＳ）、出力用紙サイズを自動決定し（ステップ６０８）、上述の原稿サイズ決定方法により原稿サイズを決定するように設定されていない場合は（ステップ６０７のＮＯ）、ユーザからの手動操作に基づいて出力用紙サイズを決定する（ステップ６０９）。
【００４１】
このステップ６０８において、出力用紙サイズを自動で決定する際に、副走査検出センサ１１１による検知結果に基づいて原稿サイズを決定するように設定されていない場合は（ステップ６３１のＮＯ）、原稿サイズを予め設定されている固定の原稿サイズとして決定する（ステップ６３２）。
【００４２】
又、副走査検出センサ１１１により検知結果に基づいて原稿サイズを決定するように設定されている場合は（ステップ６３１のＹＥＳ）、副走査検出センサ１１１が原稿を検知したならば（ステップ６３３のＹＥＳ）、原稿サイズを予め設定されている第１の原稿サイズとして決定し（ステップ６３４）、副走査検出センサ１１１が原稿を検知しなければ（ステップ６３３のＮＯ）、第２の原稿サイズとしてそれぞれ決定する（ステップ６３５）。
【００４３】
又、ステップ６０９において、ユーザからの手動操作により出力用紙サイズを決定する際には、表示部１０２に「原稿を載置してください。」「用紙トレイを選択してください。」等と表示し（ステップ６６１）、ユーザから操作部１０３を介して、原稿サイズが選択されたならば（ステップ６６２のＹＥＳ）、選択された原稿サイズに決定する（ステップ６６３）。
【００４４】
ところで、上述の副走査方向検知センサ１１１は原稿載置部１０１に載置されるＡ４縦サイズの原稿の有無を検出するように配設されているが、副走査方向検知センサ１１１を配設する位置はこれに限らず、例えば、Ｂ５縦サイズの原稿を検出するように配設したり、同時に複数の副走査方向検知センサを配設して、原稿サイズをより詳細に決定しても良い。
【００４５】
そこで、図１３乃至図１７を参照して、複数の副走査方向検知センサの検出結果に基づく原稿サイズの決定方法を説明する。
【００４６】
又、図１３（ａ）に示すように、原稿載置部１０１に非定型サイズの原稿２０１が載置されている。点線で示すＡ４縦サイズの原稿の有無を検出する副走査方向検知センサ１１１に加えて、副走査方向検知センサ１１２及び１１３が配設されている。副走査方向検知センサ１１２はＢ５縦サイズの原稿の主走査方向のエッジの外側に相当する原稿載置部１０１の直下部分に配設され、Ｂ５縦サイズの原稿の有無を検知し、副走査方向検知センサ１１３はＡ４横サイズの原稿の主走査方向のエッジの外側に相当する原稿載置部１０１の直下部分に配設され、Ａ４横サイズの原稿の有無を検知する。
【００４７】
この場合、同様に原稿サイズ決定部は主走査方向検知センサ１１０と副走査方向検知センサ１１１乃至１１３の検知結果に基づいて、原稿載置部１０１に載置されている原稿２０１が非定型サイズの原稿であることを決定する。この時、副走査方向検知センサ１１１乃至１１３のがいずれも原稿を検知しない為、図１３（ｂ）に示すようにＢ５縦サイズの出力用紙で出力する。
【００４８】
又、図１４（ａ）に示すように、原稿載置部１０１に非定型サイズの原稿２０３が載置されている場合、原稿サイズ決定部は原稿載置部１０１に載置されている原稿２０３が非定型サイズの原稿であることを検知し、副走査方向検知センサ１１２はＢ５縦サイズを超える原稿が有ることを検知し、図１４（ｂ）に示すようにＡ４縦サイズの出力用紙で出力する。
【００４９】
又、図１５（ａ）に示すように、原稿載置部１０１に非定型サイズの原稿２０２が載置されている場合、原稿サイズ決定部は原稿載置部１０１に載置されている原稿２０２が非定型サイズの原稿であると決定し、副走査方向検知センサ１１１はＡ４縦サイズの原稿の有無を検知し、図１５（ｂ）に示すようにＡ４横サイズの出力用紙で出力する。
【００５０】
又、図１６（ａ）に示すように、原稿載置部１０１に非定型サイズの原稿２０４が載置されている場合、原稿サイズ決定部は原稿載置部１０１に載置されている原稿が非定型サイズの原稿であると決定し、副走査方向検知センサ１１３はＡ４横サイズを超える原稿が有ることを検知し、図１６（ｂ）に示すようにＡ３横サイズの出力用紙で出力する。
【００５１】
なお、このような複数の副走査方向検知センサの検出結果に基づいて原稿サイズの決定する際であっても、上述したように原稿の主走査方向の長さを特定することができなかった場合や原稿が非定型サイズであると決定した場合に、予め設定した固定の原稿サイズに基づいて、原稿サイズを固定の原稿サイズに一意に決定しても良い。例えば、固定の原稿サイズをＡ３横サイズとして、原稿サイズ決定部は副走査方向検知センサ１１１による原稿サイズ検知結果に基づいて原稿サイズを決定するように設定しておくと、図１３（ａ）に示したような場合では、原稿サイズ決定部は予め設定された固定の原稿サイズであるＡ３サイズとして決定し、図１７（ａ）に示すように出力される。又、図１４（ａ）に示したような場合は、図１７（ｂ）に示すように出力される。
【００５２】
では、図１８を参照して、複数の副走査方向検知センサ１１１の検知結果に基づく、原稿サイズの決定方法の流れを説明する。
【００５３】
複数の副走査方向検知センサ１１１乃至１１３の検知結果に基づいて原稿サイズの決定する際には、図１０のフローチャートを参照して上述した１つの副走査方向検知センサ１１１の検知結果に基づいて原稿サイズを決定する流れの中で、ステップ６０８を次のように処理する。
【００５４】
まず、副走査検出センサ１１１乃至１１３による検知結果に基づいて、原稿サイズを決定するように設定されていない場合には、（ステップ７０１のＮＯ）、原稿サイズを予め設定されている固定の原稿サイズとして決定する（ステップ７０２）。
【００５５】
又、副走査検出センサ１１１乃至１１３による検知結果に基づいて、原稿サイズを決定するように設定され（ステップ７０１のＹＥＳ）、副走査検出センサ１１１乃至１１３がいずれも原稿をあることを検知しなければ（ステップ７０３のＹＥＳ）、原稿サイズをＢ５縦サイズとして決定する（ステップ７０４）。
【００５６】
又、副走査検出センサ１１１乃至１１３がいずれも原稿をあることを検知しなかったのではなく（ステップ７０３のＮＯ）、副走査検出センサ１１３が原稿を検知したならば（ステップ７０５のＹＥＳ）、原稿サイズをＡ３横サイズとして決定する（ステップ７０６）。
【００５７】
又、副走査検出センサ１１３が原稿を検知しなく（ステップ７０５のＮＯ）、副走査検出センサ１１１が原稿を検知したならば（ステップ７０７のＹＥＳ）、原稿サイズをＡ４横サイズとして決定する（ステップ７０８）。
【００５８】
又、副走査検出センサ１１１が原稿を検知しなく（ステップ７０７のＮＯ）、副走査検出センサ１１２が原稿を検知したならば（ステップ７０９のＹＥＳ）、原稿サイズをＡ４縦サイズとして決定する（ステップ７１０）。
【００５９】
なお、本実施例においては、原稿の主走査方向サイズを検知する為に、主走査方向検知センサ１１０を用いているが、図１９に示すように、原稿の主走査方向サイズを検知する為に配設される副走査方向検知センサ１１１乃至１１３と同じものを、主走査方向センサ１１４及び１１５として配設することで、同様の原稿サイズの検知を行うことができる。副走査方向検知センサ１１１はＡ４縦サイズの原稿の主走査方向のエッジの外側に相当する原稿載置部１０１の直下部分にそれぞれ配設され、Ａ４縦サイズを超える原稿の有無を検知する。
【００６０】
同様に、主走査方向検知センサ１１４はＢ５縦サイズの原稿の副走査方向、副走査方向検知センサ１１２はＢ５縦サイズの原稿の主走査方向のエッジの外側に相当する原稿載置部１０１の直下部分にそれぞれ配設され、Ｂ５縦サイズを超える原稿の有無を検知し、主走査方向検知センサ１１５はＡ４横サイズの原稿の副走査方向、副走査方向検知センサ１１３はＡ４横サイズの原稿の主走査方向のエッジの外側に相当する原稿載置部１０１の直下部分にそれぞれ配設され、Ａ４横サイズを超える原稿の有無を検知する。
【００６１】
例えば、図１９に示すように、原稿載置部１０１に原稿２０１が載置されている場合には、主走査方向検知センサ１１４及び１１５は原稿載置部１０１に原稿が無いことを検知し、副走査方向検知センサ１１１乃至１１３も原稿載置部１０１に原稿が無いことを検知する。原稿サイズ決定部は原稿２０１が非定型サイズであると決定し、副走査方向検知センサ１１１乃至１１３のいずれも原稿載置部１０１に原稿が無いことを検知していることに基づいて、原稿サイズをＢ５縦と決定し、図５（ｂ）に示すようにＢ５縦の出力用紙で出力する。
【００６２】
このような検知方法においても、ここまで説明したセンサの配設位置や原稿サイズの設定、原稿サイズの決定条件などの設定はユーザの使用用途や使用環境等に合わせて、任意に変更が可能である。
【００６３】
【発明の効果】
上述したように、本発明の本発明の原稿検知方法及び装置においては、主走査方向及び副走査方向の長さを判定し、折りやカールのある原稿や載置ずれしている原稿、非定型サイズの原稿である為に、原稿サイズを決定することができなかった場合、副走査方向からの長さに基づいて、原稿サイズを決定したり、予め設定された固定の原稿サイズに基づいて、原稿サイズを決定するように構成した為、これらの原稿の原稿サイズを自動で決定することができ、ユーザ自らが原稿サイズを選択する手間を無くし、ユーザの負担を軽減することができる。又、名刺や領収証等の原稿を載置する際、原稿載置部の所定の原稿載置範囲内に載置しなくとも原稿検知エラーとならずに原稿サイズを確実に決定することができる為、ユーザの使用勝手を更に向上させることができる。
【図面の簡単な説明】
【図１】複写機１００の構成を示す図。
【図２】複写機１００の原稿載置部１０１の構成を示す図。
【図３】副走査方向検知センサ１１１による検知結果に基づく第１の原稿サイズの決定方法を説明する為の第１の図。
【図４】副走査方向検知センサ１１１による検知結果に基づく第１の原稿サイズの決定方法を説明する為の第２の図。
【図５】副走査方向検知センサ１１１による検知結果に基づく第２の原稿サイズの決定方法を説明する為の第１の図。
【図６】副走査方向検知センサ１１１による検知結果に基づく第２の原稿サイズの決定方法を説明する為の第２の図。
【図７】副走査方向検知センサ１１１による検知結果に基づく第２の原稿サイズの決定方法を説明する為の第３の図。
【図８】固定の原稿サイズに基づく原稿サイズの決定方法を説明する為の第１の図。
【図９】固定の原稿サイズに基づく原稿サイズの決定方法を説明する為の第２の図。
【図１０】原稿サイズの決定方法の流れを示すフローチャート。
【図１１】出力用紙サイズを自動決定する際の流れを示すフローチャート。
【図１２】出力用紙サイズを手動決定する際の流れを示すフローチャート。
【図１３】複数の副走査方向検知センサの検出結果に基づく原稿サイズの決定方法を説明する為の第１の図。
【図１４】複数の副走査方向検知センサの検出結果に基づく原稿サイズの決定方法を説明する為の第２の図。
【図１５】複数の副走査方向検知センサの検出結果に基づく原稿サイズの決定方法を説明する為の第３の図。
【図１６】複数の副走査方向検知センサの検出結果に基づく原稿サイズの決定方法を説明する為の第４の図。
【図１７】複数の副走査方向検知センサの検出結果に基づく原稿サイズの決定方法を説明する為の第５の図。
【図１８】  複数の副走査方向検知センサ１１１の検知結果に基づく、原稿サイズの決定方法の流れを示すフローチャート。
【図１９】  複数の副走査方向検知センサの検出結果に基づく原稿サイズの決定方法を説明する為の第６の図。
【符号の説明】
１００    複写機
１０１    原稿載置部
１０２    表示部
１０３    操作部
１１０    主走査方向検知センサ
１１１、１１２、１１３    副走査方向検知センサ
１１４、１１５    主走査方向検知センサ
１２１    原稿レジ
１２２    レジガイド
２０１、２０２、２０３、２０４    原稿
【図１】
0003757761.tif 000002
【図２】
0003757761.tif 000003
【図３】
0003757761.tif 000004
【図４】
0003757761.tif 000005
【図５】
0003757761.tif 000006
【図６】
0003757761.tif 000007
【図７】
0003757761.tif 000008
【図８】
0003757761.tif 000009
【図９】
0003757761.tif 000010
【図１０】
0003757761.tif 000011
【図１１】
0003757761.tif 000012
【図１２】
0003757761.tif 000013
【図１３】
0003757761.tif 000014
【図１４】
0003757761.tif 000015
【図１５】
0003757761.tif 000016
【図１６】
0003757761.tif 000017
【図１７】
0003757761.tif 000018
【図１８】
0003757761.tif 000019
【図１９】
0003757761.tif 000020